(57)【要約】  本技術は、システム情報を送受信する方法と装置、ベースステーション、および端末を提供する。システム情報を送信する方法は以下を有する：ベースステーションにより、システム情報ウインドウにおいてシステム情報繰り返しパターンによって前記システム情報を送信するための無線フレームを構成するステップ；前記ベースステーションにより、前記システム情報繰り返しパターンが示す前記無線フレームの利用可能無線サブフレームにおいて前記システム情報を送信開始するステップであって、前記システム情報繰り返しパターンが示す前記無線フレームにおいて前記ＳＩを１回以上送信するために利用可能な無線サブフレームが十分存在しない場合、指定した無線フレームの利用可能無線サブフレームにおいて前記システム情報を１回以上繰り返し送信するステップ。この技術的手段により、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。【選択図】図４
2019515603.tif 000002
【特許請求の範囲】
【請求項１】
システム情報を送信する方法であって、
ベースステーションにより、システム情報ウインドウにおいてシステム情報繰り返しパターンによってシステム情報を送信するための無線フレームを構成するステップ、
前記ベースステーションにより、前記システム情報繰り返しパターンが構成する前記無線フレームの利用可能無線サブフレームにおいて前記システム情報を送信開始するステップであって、前記システム情報繰り返しパターンが構成する前記無線フレームにおいて前記ＳＩを１回以上送信するために利用可能な無線サブフレームが十分存在しない場合、指定した無線フレームの利用可能無線サブフレームにおいて前記システム情報を１回以上繰り返し送信するステップ、
を有することを特徴とする方法。
【請求項２】
前記指定した無線フレームは少なくとも：前記システム情報繰り返しパターンが構成する前記無線フレームの後続無線フレーム；前記システム情報繰り返しパターンが構成する次の無線フレーム；のいずれかを含む
ことを特徴とする請求項１記載の方法。
【請求項３】
前記方法はさらに、
送信する前記システム情報のサイズに基づき、前記システム情報繰り返しパターンが構成する各前記無線フレームから繰り返し送信する前記システム情報の個数を決定するステップ、
プロトコル合意を通知するかまたはシグナリング通知の少なくともいずれかによって、前記システム情報繰り返しパターンが構成する各前記無線フレームから繰り返し送信する前記システム情報の個数を前記端末に対して通知するステップ、
を有することを特徴とする請求項１記載の方法。
【請求項４】
前記方法はさらに、
前記システム情報ウインドウにおける前記システム情報繰り返しパターンが構成する最後の無線フレームにおいて前記システム情報を１回送信完了するために利用可能な無線サブフレームが存在しない場合、前記システム情報を１回送信完了するのに十分ではない最後の無線フレームにおける利用可能無線サブフレームが前記システム情報を送信することを禁止するステップを有する
ことを特徴とする請求項２記載の方法。
【請求項５】
システム情報を受信する方法であって、
端末により、システム情報繰り返しパターンが構成する無線フレームの利用可能無線サブフレームにおいて前記システム情報を受信開始するステップであって、前記システム情報繰り返しパターンが構成する前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信するステップを有する
ことを特徴とする方法。
【請求項６】
前記指定した無線フレームは少なくとも：前記システム情報繰り返しパターンが構成する前記無線フレームの後続無線フレーム；前記システム情報繰り返しパターンが構成する次の無線フレーム；のいずれかを含む
ことを特徴とする請求項５記載の方法。
【請求項７】
前記システム情報繰り返しパターンが構成する各前記無線フレームから前記システム情報を繰り返し送信する回数は、送信する前記システム情報のサイズに基づき決定され、
前記システム情報繰り返しパターンが構成する各前記無線フレームから前記システム情報を繰り返し送信する回数は、プロトコル合意を通知するかまたはシグナリング通知の少なくともいずれかによって、前記端末に対して通知される
ことを特徴とする請求項５記載の方法。
【請求項８】
システム情報を送信する装置であって、
システム情報ウインドウにおいてシステム情報繰り返しパターンによって前記システム情報を送信するための無線フレームを構成するように構成された構成モジュール、
前記システム情報繰り返しパターンが構成する前記無線フレームの利用可能無線サブフレームにおいて前記システム情報を送信開始するように構成された送信モジュールであって、前記システム情報繰り返しパターンが構成する前記無線フレームにおいて前記システム情報を１回以上送信するために利用可能な無線サブフレームが十分存在しない場合、指定した無線フレームの利用可能無線サブフレームにおいて前記システム情報を１回以上繰り返し送信する送信モジュール、
を備えることを特徴とする装置。
【請求項９】
前記指定した無線フレームは少なくとも：前記システム情報繰り返しパターンが構成する前記無線フレームの後続無線フレーム；前記システム情報繰り返しパターンが構成する次の無線フレーム；のいずれかを含む
ことを特徴とする請求項８記載の装置。
【請求項１０】
システム情報を受信する装置であって、
システム情報繰り返しパターンが構成する無線フレームの利用可能無線サブフレームにおいて前記システム情報を受信するように構成された受信モジュールであって、前記システム情報繰り返しパターンが構成する前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信する受信モジュールを備える
ことを特徴とする装置。
【請求項１１】
前記指定した無線フレームは少なくとも：前記システム情報繰り返しパターンが構成する前記無線フレームの後続無線フレーム；前記システム情報繰り返しパターンが構成する次の無線フレーム；のいずれかを含む
ことを特徴とする請求項１０記載の装置。
【請求項１２】
ベースステーションであって、
システム情報ウインドウにおいてシステム情報繰り返しパターンによって前記システム情報を送信するための無線フレームを構成するように構成された構成モジュール、
前記システム情報繰り返しパターンが構成する前記無線フレームの利用可能無線サブフレームにおいて前記システム情報を送信開始するように構成された送信モジュールであって、前記システム情報繰り返しパターンが構成する前記無線フレームにおいて前記システム情報を１回以上送信するために利用可能な無線サブフレームが十分存在しない場合、指定した無線フレームの利用可能無線サブフレームにおいて前記システム情報を１回以上繰り返し送信する送信モジュール、
を備えることを特徴とするベースステーション。
【請求項１３】
端末であって、
システム情報繰り返しパターンが構成する無線フレームの利用可能無線サブフレームにおいてシステム情報を受信するように構成された受信モジュールであって、前記システム情報繰り返しパターンが構成する前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信する受信モジュールを備える
ことを特徴とする端末。
【請求項１４】
プログラムを格納する記憶媒体であって、前記プログラムを実行することにより、請求項１から４のいずれか１項記載の方法または請求項５から７のいずれか１項記載の方法を実行する
ことを特徴とする記憶媒体。
【発明の詳細な説明】
【技術分野】
【０００１】
開示する技術は、通信分野に関し、より具体的には、システム情報を送受信する方法および装置、ベースステーション、および端末に関する。
【背景技術】
【０００２】
マシン対マシン（Ｍ２Ｍ）通信は、第５世代（５Ｇ）モバイル通信技術の研究における重要な課題であり、将来の無線通信においても重要な応用領域である。Ｍ２Ｍプロジェクトにおいて、３ｒｄ  Ｇｅｎｅｒａｔｉｏｎ  Ｐａｒｔｎｅｒｓｈｉｐ  Ｐｒｏｊｅｃｔ（３ＧＰＰ）は、狭帯域Ｉｎｔｅｒｎｅｔ  ｏｆ  Ｔｈｉｎｇｓ（ＮＢ−ＩｏＴ）システムの研究サブプロジェクトを提案している。これは低コスト低スループット端末の特性についてのものであり、２００ＫＨｚの周波数帯におけるＬｏｎｇ−Ｔｅｒｍ  Ｅｖｏｌｕｔｉｏｎ（ＬＴＥ）と同様のシステムを構築するためのものであり、これにより低コスト端末に対して低スループット無線通信サービスを提供する。
【０００３】
システム情報（ＳＩ）はセルの共通情報であり、セルのシステムパラメータを示すために用いられる。ユーザ機器（ＵＥ）はセル内に存在し、最新のシステム情報との整合性を維持しなければならない。システム情報は通常、セルのブロードキャストチャネル上で送信される。ＬＴＥとＮＢ−ＩｏＴシステムにおいて、システム情報は２つのカテゴリに分けられる。マスタ情報ブロック（ＭＩＢ）とシステム情報ブロック（ＳＩＢ）である。ＳＩＢは異なる番号のシステム情報ブロックへさらに分割される。例えばＳＩＢ１、ＳＩＢ２、ＳＩＢ３である。ＳＩＢ１を除くと、他のシステム情報ブロックは１以上のＳＩを構成する。ＳＩＢ１は複合ＳＩのスケジューリング情報を搬送する。スケジューリング情報は、各ＳＩに含まれるシステム情報ブロックの個数と送信期間、およびＵＥがこれらＳＩを受信するタイムウインドウを示すために用いられる。
【０００４】
各ＳＩは送信期間を有する。システムは、ＳＩの送信期間のインターバル時間において、各ＳＩについてＳＩウインドウ（システム情報ウインドウともいう）と呼ばれる送信ウインドウを構成する。ＳＩはこのウインドウにおいて送信されるようにスケジュールされる。図１に示すように、複数のＳＩのＳＩウインドウが、送信のために順次構成される。ＳＩ−１とＳＩ−２それぞれについて送信期間が構成される。ＳＩ−２の期間はＳＩ−１の期間の２倍である。ＳＩの送信期間において、ＳＩ−１とＳＩ−２の期間が合致した場合、ＳＩ−１のウインドウとＳＩ−２のＳＩウインドウは、期間の時間インターバルにおいて順番に配置される。
【０００５】
３ＧＰＰ規格において、ＳＩは以下の方法にしたがってＳＩウインドウ内で送信される：システムは、各ＳＩのＳＩウインドウを繰り返し送信するための無線フレーム（ＲａｄｉｏＦｒａｍｅ）を構成する；ＳＩがＳＩウインドウにおいてＮ無線フレームごとにＭ番目の無線フレームのサブフレームリソースを用いるＳＩ繰り返しパターンを指定する；ダウンリンク有効サブフレームを構成することにより、無線フレームの利用可能無線サブフレームを指定する；特定のシステム制御情報が占有する無線フレーム内の無線サブフレームが無効サブフレームであると定義する。この特定のシステム制御情報は、物理ブロードキャストチャネル（ＰＢＣＨ）、プライマリ同期シンボル（ＰＳＳ）、セカンダリ同期シンボル（ＳＳＳ）、ＳＩブロックタイプ１（ＳＩＢ１）を含む。
【０００６】
したがって、ＳＩを送信するために用いる利用可能無線サブフレームは：特性のシステム制御情報が占有している無線サブフレーム、および無効無線サブフレーム以外の無線サブフレームを意味する。
【０００７】
図２は、上記方法にしたがって１つのＳＩについて構成した無線サブフレームリソースの概略図を示す。ＳＩウインドウ内のＮ個の無線フレームごとのｍ番目の無線フレームは、ＳＩを送信する無線フレームとして構成されている。図３は、ＳＩを送信するために用いることができる１つの無線フレームにおける有効無線サブフレームの例を示す。
【０００８】
一方で、ＮＢ−ＩｏＴまたは拡張ＭＴＣ（ｅＭＴＣ）の技術において、無線信号のカバー領域が弱いＵＥが存在する。この要求について、ネットワーク側は同じ情報を繰り返し送信し、ＵＥは情報受信後にこれを統合し、これにより受信信号の品質を向上させる。したがってベースステーションは、ＳＩ送信中にＳＩが利用可能な上記無線サブフレームにおいてＳＩを繰り返し送信し、これによりＵＥが受信するＳＩの品質を向上させる。
【０００９】
１つのＳＩは、ｅＭＴＣにおいて１つの無線サブフレームのみを占有する必要がある。したがって、ベースステーションが構成した上記無線サブフレームリソースにおける各無線サブフレームは、ＳＩを繰り返し送信する。ＮＢ−ＩｏＴにおいて、ＳＩのサイズに依拠して、１つのＳＩは送信完了するために、８個、４個、または２個の無線サブフレームを必要とする。
【００１０】
ＮＢ−ＩｏＴにおいてＳＩ情報を送信するために必要な無線サブフレームの個数は１よりも多く、これにより以下の課題が生じる：上記方法により構成したＳＩ送信のための無線フレームにおいて、１つのＳＩを送信完了するために十分な利用可能無線サブフレームが存在しない場合がある。または、利用可能無線サブフレームが１つのＳＩを送信完了するために必要なリソースよりも多いが、１つのＳＩを送信完了するために必要なリソースの整数倍ではない場合がある。
【００１１】
したがって、量が増加した無線サブフレームを用いてＳＩを送信する課題に対する有効な解決手段は存在していない。
【発明の概要】
【発明が解決しようとする課題】
【００１２】
開示する技術の実施形態は、システム情報を送受信する方法と装置、ベースステーション、および端末を提供する。これにより、ＳＩが占有する必要がある無線サブフレームの個数が増加するので従来技術を用いてＳＩを送信することができないという課題を少なくとも解決することを図る。
【課題を解決するための手段】
【００１３】
開示する技術の実施形態によれば、システム情報を送信する方法は以下を有する：
ベースステーションにより、システム情報ウインドウにおいてシステム情報繰り返しパターンによって前記システム情報を送信するための無線フレームを構成するステップ；前記ベースステーションにより、前記システム情報繰り返しパターンが示す前記無線フレームの利用可能無線サブフレームにおいて前記システム情報を送信開始するステップであって、前記システム情報繰り返しパターンが示す前記無線フレームにおいて前記ＳＩを１回以上送信するために利用可能な無線サブフレームが十分存在しない場合、指定した無線フレームの利用可能無線サブフレームにおいて前記システム情報を１回以上繰り返し送信するステップ。
【００１４】
開示する技術の別実施形態によれば、システム情報を受信する方法は以下を有する：
端末により、システム情報繰り返しパターンが示す無線フレームの利用可能無線サブフレームにおいて前記システム情報を受信開始するステップであって、前記システム情報繰り返しパターンが示す前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信するステップ。
【００１５】
開示する技術の別実施形態によれば、ベースステーションにおいて用いるシステム情報を送信する装置は以下を備える：システム情報ウインドウにおいてシステム情報繰り返しパターンによって前記システム情報を送信するための無線フレームを構成する構成モジュール；前記システム情報繰り返しパターンが示す前記無線フレームの利用可能無線サブフレームにおいて前記システム情報を送信開始する送信モジュールであって、前記システム情報繰り返しパターンが示す前記無線フレームにおいて前記ＳＩを１回以上送信するために利用可能な無線サブフレームが十分存在しない場合、指定した無線フレームの利用可能無線サブフレームにおいて前記システム情報を１回以上繰り返し送信する送信モジュール。
【００１６】
開示する技術の別実施形態によれば、端末において用いるシステム情報を受信する装置は以下を備える：システム情報繰り返しパターンが示す無線フレームの利用可能無線サブフレームにおいて前記システム情報を受信開始する受信モジュールであって、前記システム情報繰り返しパターンが示す前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信する受信モジュール。
【００１７】
開示する技術の別実施形態によれば、ベースステーションは以下を備える：
システム情報ウインドウにおいてシステム情報繰り返しパターンによって前記システム情報を送信するための無線フレームを構成する構成モジュール；前記システム情報繰り返しパターンが示す前記無線フレームの利用可能無線サブフレームにおいて前記システム情報を送信開始する送信モジュールであって、前記システム情報繰り返しパターンが示す前記無線フレームにおいて前記ＳＩを１回以上送信するために利用可能な無線サブフレームが十分存在しない場合、指定した無線フレームの利用可能無線サブフレームにおいて前記システム情報を１回以上繰り返し送信する送信モジュール。
【００１８】
開示する技術の別実施形態によれば、端末は以下を備える：
システム情報繰り返しパターンが示す無線フレームの利用可能無線サブフレームにおいて前記システム情報を受信する受信モジュールであって、前記システム情報繰り返しパターンが示す前記無線フレームにおいて前記システム情報を１回以上受信するために利用可能な無線サブフレームが十分存在しない場合、指定した無線フレームの利用可能無線サブフレームにおいて前記システム情報を１回以上繰り返し受信する受信モジュール。
【００１９】
開示する技術の実施形態によれば、記憶媒体はプログラムを格納し、前記プログラムを実行することにより、システム情報を送信する前記方法またはシステム情報を受信する前記方法を実行する。
【００２０】
開示する技術の実施形態に基づき、システム情報繰り返しパターンを有するシステムが構成した無線フレームにおいてシステム情報を１回以上送信するために利用可能な無線サブフレームが十分存在しない場合、前記システム情報を送信するために必要な利用可能無線サブフレームを指定した無線フレームにおいて選択し、これにより前記システム情報を送信し続ける。したがって、システム情報が占有する必要がある無線サブフレームの個数が増えたのでシステム情報を送信することができないという関連技術の課題が解決され、これによりシステム情報のサイズによらず、適当な個数の無線サブフレームを選択し、これによりネットワークリソースを合理的に用いることができる。
【００２１】
図面は開示する技術とアプリケーションの構成部をさらに理解するために提供することを意図しており、開示する技術の図示する実施形態とその説明は開示する技術を説明することを意図しており、特許請求する発明を限定するものとして解釈すべきではない。
【図面の簡単な説明】
【００２２】
【図１】関連技術におけるシステム情報のＳＩウインドウ技術の概略図である。
【図２】ＮＢ−ＩｏＴ技術においてシステム情報繰り返しパターンが示す無線フレームリソースの概略図である。
【図３】ＮＢ−ＩｏＴ技術における１つの無線フレームの有効無線サブフレームの概略図である。
【図４】本技術の実施形態に係るシステム情報を送信する方法のフローチャートである。
【図５】本技術の実施形態に係るシステム情報を受信する方法のフローチャートである。
【図６】本技術の実施形態に係るシステム情報を送信する装置の構造ブロック図である。
【図７】本技術の実施形態に係るシステム情報を受信する装置の構造ブロック図である。
【図８】本技術の望ましい実施形態１に係るシステム情報送信の概略図である。
【図９】本技術の望ましい実施形態２に係るシステム情報送信の概略図である。
【図１０】本技術の望ましい実施形態３に係るシステム情報送信の概略図である。
【発明を実施するための形態】
【００２３】
図面と実施形態を参照して本技術を詳細に説明する。本願の実施形態と実施形態の特徴部分は、競合しない限り互いに組み合わせることができる。
【００２４】
本明細書、特許請求範囲および図面における用語「第１」「第２」などは、類似するオブジェクトを区別するために用いられ、必ずしも特定の順番や連続性を記載するものではない。
【００２５】
本願の実施形態１において提供する方法は、ベースステーション、コンピュータ端末、または同様のコンピュータデバイスにおいて実行することができる。例えばベースステーション上で実行する場合、ベースステーションは、１以上のプロセッサ（マイクロプロセッサ（ＭＣＵ）またはプログラム可能論理デバイス（ＦＰＧＡ）などの処理デバイスを含むがこれに限らない）、データを格納するメモリ、通信機能のための送信デバイス、を備える。以上の説明は例示に過ぎず、ベースステーションの構造を限定するものではないことを、当業者は理解するであろう。
【００２６】
メモリを用いて、ソフトウェアプログラムとアプリケーションソフトウェアのモジュールを格納することができる。例えば本技術の実施形態におけるシステム情報を送信する方法に対応するプログラム命令／モジュールである。プロセッサは様々な機能とデータ処理のアプリケーションを実行する。すなわち、メモリ内に格納されているソフトウェアプログラムとモジュールを実行することにより、本方法を実装する。メモリは、高速ランダムアクセスメモリまたは不揮発性メモリを含む。例えば１以上の磁気記憶デバイス、フラッシュメモリ、その他不揮発性ソリッドステートメモリである。
【００２７】
＜実施の形態１＞
システム情報を送信する方法を実施形態において提供する。図４は、本技術の実施形態に係るシステム情報を送信する方法のフローチャートである。図４に示すように、プロセスは以下のステップを有する。
【００２８】
ステップＳ４０２において、ベースステーションは、システム情報ウインドウにおいてシステム情報繰り返しパターンによりシステム情報を送信するための無線フレームを構成する。
【００２９】
ステップＳ４０４において、ベースステーションは、システム情報繰り返しパターンが示す無線フレームの利用可能無線サブフレームにおいてシステム情報を送信開始する。システム情報繰り返しパターンが示す無線フレームにおいてＳＩを１回以上送信するために利用可能な無線サブフレームが十分存在しない場合、指定した無線フレームの利用可能無線サブフレームにおいてシステム情報を１回以上繰り返し送信する。
【００３０】
上記ステップにより、システム情報繰り返しパターンによってシステムが構成する無線フレームにおいてシステム情報を１回以上送信するために利用可能な無線サブフレームが十分存在しない場合、指定した無線フレームにおいてシステム情報を送信するために利用可能な無線サブフレームが選択され、これによりシステム情報を送信し続ける。したがって、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【００３１】
すなわち、システム情報繰り返しパターンが示す無線フレームから、指定する無線フレームまで、システム情報の１回以上の繰り返し送信が完了するに至るまでこれら無線フレームにおける利用可能サブフレームが連続して用いられる。
【００３２】
本技術を実装する例において、システム情報を１回以上送信するために利用可能な無線サブフレームが、システム情報繰り返しパターンによって示される無線フレーム内に十分存在しないとき、システム情報は以下のようにして送信される：システム情報は、指定した無線フレームの利用可能無線サブフレームにおいて１回以上繰り返し送信される。例えばシステム情報は、指定した無線フレームの１０個の利用可能無線サブフレームにおいて、１０回繰り返し送信することができる。
【００３３】
ステップ４０４における「システム情報繰り返しパターンによってシステムが構成する無線フレームにおいてシステム情報を１回以上送信するために利用可能な無線サブフレームが十分存在しない場合、指定した無線フレームにおいてシステム情報を送信するために利用可能な無線サブフレームが選択され、これによりシステム情報を送信し続ける」は、以下のように理解することができる：送信を整数回開始する無線フレームにおいてシステム情報を送信することができない場合、すなわち、システム情報が完全に送信されない場合、システム情報を送信するため引き続き必要な無線サブフレームを指定した無線フレームから選択し、これによりシステム情報を送信する。例えばシステム情報がＡ個の無線サブフレームで送信することが必要であり、送信開始する無線フレームのなかにはシステム情報を送信するために利用可能な無線サブフレームがＢ個含まれているものとする。ＡがＢよりも大きければ、ＡとＢの間の差分個数の利用可能無線サブフレームが指定した無線フレーム内で選択され、システム情報を送信する。
【００３４】
指定する無線フレームは少なくとも以下のいずれかを含む：システム情報繰り返しパターンが示す無線フレームの後続無線フレーム；システム情報繰り返しパターンが示す次の無線フレーム。
【００３５】
実施形態において、指定した無線フレームは、次グループのＮ個の無線フレームにおけるＭ番目の無線フレームであり、Ｍ番目の無線フレームは現在システム情報を送信しているものであり、または現在システム情報を送信しているＭ番目の無線フレームの後続無線フレームである。すなわち、Ｍ＋１番目、Ｍ＋２番目、などである。システム情報の１回以上の送信が完了するまで繰り返される。Ｍは１以上でありＮ以下である。
【００３６】
指定した無線フレームが、次グループのＮ個の無線フレームにおけるＭ番目の無線フレームであり、Ｍ番目の無線フレームが現在システム情報を送信している場合、無線フレームの最終グループの利用可能無線フレームは、システム情報を１回完全送信するのに充分ではなく、無線フレームの最終グループの利用可能サブフレーム個数がシステム情報を１回送信完了することができない場合、システム情報を送信することが禁止される。
【００３７】
本方法は以下のステップも有する：送信するシステム情報のサイズに基づき、システム情報繰り返しパターンが示す各無線フレームからシステム情報を繰り返し送信する回数を判定するステップ；システム情報繰り返しパターンが示す各無線フレームからシステム情報を繰り返し送信する回数を端末に対して少なくとも以下のいずれかにより示すステップ：プロトコル合意を通知する、シグナリング通知を指定する。
【００３８】
本技術の実施形態において、繰り返しパターンが示す各無線フレームからまたはＮ個の無線フレームごとにシステム情報を送信する回数は、プロトコルによって合意され、またはシグナリングによって端末に対して示される。プロトコルによって合意する方法は以下のステップを有する：
プロトコルは、情報のトランスポートブロックサイズ（ＴＢＳ）と繰り返し個数との間のマッピング関係を合意する。
【００３９】
プロトコルは、情報のサイズと１回の送信に必要な無線サブフレームの個数との間のマッピング関係を合意し、１回の送信に必要な無線サブフレームの個数と繰り返し回数との間のマッピング関係を合意する。
【００４０】
＜実施の形態２＞
実施形態において、システム情報を受信する方法を提供する。図５は、本技術の実施形態に係るシステム情報を受信する方法のフローチャートである。図５に示すように、プロセスは以下のステップを有する。
【００４１】
ステップＳ５０２において、端末は、システム情報繰り返しパターンが示す無線フレームの利用可能サブフレームにおいてシステム情報を受信開始する。システム情報繰り返しパターンが示す無線フレームにおいてシステム情報を１回以上受信するために利用可能な無線サブフレームが十分存在しない場合、指定した無線フレームの利用可能無線サブフレームにおいてシステム情報を１回以上繰り返し受信する。
【００４２】
上記ステップにより、システム情報繰り返しパターンによってシステムが構成した無線フレーム内でシステム情報を１回以上送信するために利用可能な無線サブフレームが十分存在しない場合、指定した無線フレームにおいてシステム情報を送信するための利用可能無線サブフレームを選択し、これによりシステム情報を送信し続ける。したがって、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【００４３】
指定する無線フレームは少なくとも以下のいずれかを含む：システム情報繰り返しパターンが示す無線フレームの後続無線フレーム；システム情報繰り返しパターンが示す次の無線フレーム。
【００４４】
指定した無線フレームは、次グループのＮ個の無線フレームにおけるＭ番目の無線フレームであり、Ｍ番目の無線フレームは現在システム情報を送信しているものであり、または現在システム情報を送信しているＭ番目の無線フレームの後続無線フレームである。すなわち、Ｍ＋１番目、Ｍ＋２番目、などである。システム情報の１回以上の送信が完了するまで繰り返される。
【００４５】
本技術を実装する場合、システム情報繰り返しパターンがシステム情報を送信開始する無線フレームを構成する方法は限定される。したがって本技術は、システム情報を送信する無線フレームを構成するシステム情報繰り返しモードの複数の方法へ適用することができる。
【００４６】
本技術を実装する１実施形態において、ＳＩウインドウ内の無線フレームはＮ個のグループへ分割され、各グループのＭ番目の無線フレームはシステム情報を送信する。
【００４７】
本技術の実施形態は、システム情報繰り返しパターンを構成するその他方法にも適用することができる。例えば以下の方法である：ベースステーションは、Ｎ個の無線フレームごとにＬ番目の無線フレームをシステム情報送信のための無線フレームとして指定する。
【００４８】
以上の実施形態の説明によれば、上記実施形態に係る方法が、ソフトウェアと一般ハードウェアプラットフォームによってあるいはハードウェアによって実現できることは、当業者にとって明らかである。しかし多くの場合において前者の実装が望ましい。そのような理解に基づき、従来技術に対する本技術の寄与を形成する実質的部分は、記憶媒体（例えばＲＯＭ／ＲＡＭ、ディスク、光ディスク）上に格納したソフトウェア製品の形態で実施することができる。この記憶媒体は、端末デバイス（例えば携帯電話、コンピュータ、サーバ、ネットワークデバイス、など）に本技術の実施形態の方法を実行させる複数の命令を含む。
【００４９】
＜実施の形態３＞
実施形態において、ベースステーションが用いるシステム情報を送信する装置を提供する。本装置を用いて、上記実施形態と望ましい実施形態を実施し、既に記載した説明は繰り返さない。以下において、用語「モジュール」は、規定機能のソフトウェアおよび／またはハードウェアの組み合わせを実装することができる。以下の実施形態で説明する装置はソフトウェアによって実装することが望ましいが、ハードウェアによる実装またはソフトウェアとハードウェアの組み合わせも可能である。
【００５０】
図６は、本技術の実施形態に係るシステム情報を送信する装置の構造ブロック図である。図６に示すように、本装置は以下を備える。
【００５１】
構成モジュール６０は、システム情報ウインドウにおいてシステム情報繰り返しパターンによりシステム情報を送信するための無線フレームを構成するように構成されている。
【００５２】
送信モジュール６２は、システム情報繰り返しパターンが示す無線フレームの利用可能無線サブフレームにおいてシステム情報を送信開始し、システム情報繰り返しパターンが示す無線フレームにおいてＳＩを１回以上送信するために利用可能な無線サブフレームが十分存在しない場合、指定した無線フレームの利用可能無線サブフレームにおいてシステム情報を１回以上繰り返し送信するように構成されている。
【００５３】
上記モジュールの組み合わせ効果により、システム情報繰り返しパターンによってシステムが構成する無線フレームにおいてシステム情報を１回以上送信するために利用可能な無線サブフレームが十分存在しない場合、指定した無線フレームにおいてシステム情報を送信するために利用可能な無線サブフレームが選択され、これによりシステム情報を送信し続ける。したがって、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【００５４】
指定した無線フレームは、以下の少なくとも１つを含む：システム情報繰り返しパターンが示す次の無線フレーム；現在システム情報を送信している無線フレームの後続無線フレーム。すなわち、現在システム情報を送信している無線フレームがＭ番目の無線フレームであれば、後続フレームはＭ＋１番目、Ｍ＋２番目、などである。システム情報の１回以上の送信が完了するまで繰り返される。
【００５５】
システム情報を送信完了できない最終グループの利用可能無線サブフレームは、Ｎ個の無線フレームを含む複数グループの最後の利用可能無線サブフレームの個数がシステム情報を送信完了できない場合、システム情報を送信することが禁止される。
【００５６】
＜実施の形態４＞
実施形態において、端末において用いるシステム情報を受信する装置を提供する。本装置を用いて上記実施形態および望ましい実施形態を実施し、既に記載した説明は繰り返さない。以下において、用語「モジュール」は、規定機能のソフトウェアおよび／またはハードウェアの組み合わせを実装することができる。以下の実施形態で説明する装置はソフトウェアによって実装することが望ましいが、ハードウェアによる実装またはソフトウェアとハードウェアの組み合わせも可能である。
【００５７】
図７は、本技術の実施形態に係るシステム情報を受信する装置の構造ブロック図である。図７に示すように、本装置は以下を備える。
【００５８】
受信モジュール７０は、システム情報繰り返しパターンが示す無線フレームの利用可能サブフレームにおいてシステム情報を受信し、システム情報繰り返しパターンが示す無線フレームにおいてシステム情報を１回以上受信するために利用可能な無線サブフレームが十分存在しない場合、指定した無線フレームの利用可能無線サブフレームにおいてシステム情報を１回以上繰り返し受信するように構成されている。
【００５９】
上記モジュールの機能として、受信モジュール７０は、ベースステーションが送信したシステム情報を受信する。システム情報繰り返しパターンが示す無線フレームにおいてシステム情報を１回以上受信するために利用可能な無線サブフレームが十分存在しない場合、受信モジュール７０は指定した無線フレームにおいてシステム情報を受信するために必要な利用可能サブフレームを選択し、これによりシステム情報を１回以上受信し続ける。したがって、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【００６０】
＜実施の形態５＞
本技術の別実施形態により、以下を備えるベースステーションを提供する：
システム情報ウインドウにおいてシステム情報繰り返しパターンによりシステム情報を送信するための無線フレームを構成するように構成されている、構成モジュール；システム情報繰り返しパターンが示す無線フレームの利用可能無線サブフレームにおいてシステム情報を送信開始し、システム情報繰り返しパターンが示す無線フレームにおいてＳＩを１回以上送信するために利用可能な無線サブフレームが十分存在しない場合、指定した無線フレームの利用可能無線サブフレームにおいてシステム情報を１回以上繰り返し送信するように構成されている、送信モジュール。
【００６１】
＜実施の形態６＞
本技術の別実施形態により、以下を備える端末を提供する：
システム情報繰り返しパターンが示す無線フレームの利用可能サブフレームにおいてシステム情報を受信し、システム情報繰り返しパターンが示す無線フレームにおいてシステム情報を１回以上受信するために利用可能な無線サブフレームが十分存在しない場合、指定した無線フレームの利用可能無線サブフレームにおいてシステム情報を１回以上繰り返し受信するように構成されている、受信モジュール。
【００６２】
各モジュールはソフトウェアまたはハードウェアによって実装することができる。後者について、実装方法は例えば以下のようにすることができるがこれに限られない：全モジュールを同じプロセッサ上に配置する；またはモジュールを任意のモジュール組み合わせで異なるプロセッサ上に配置する。
【００６３】
以下の望ましい実施形態を参照して上記実施形態の技術的手段を説明する。
【００６４】
＜望ましい実施形態１＞
図８は、本技術の望ましい実施形態１に係るシステム情報送信の概略図である。図８に示すように：
本技術の望ましい実施形態１の主な発明コンセプトは、ベースステーションが無線フレームの利用可能無線サブフレームにおいてシステム情報（ＳＩ）を送信開始し、無線フレームはＳＩを送信するためのシステム情報繰り返しパターンによって示され、ＳＩを送信するために構成した１つの無線フレームにおいてＳＩを送信するために利用可能な無線サブフレームが十分存在しない場合、ベースステーションは、ＳＩを送信する無線フレームにおける利用可能無線サブフレームと後続無線フレームにおいてＳＩを繰り返し送信する（上記実施形態における指定した無線フレームに対応）。
【００６５】
図８に示すように、繰り返しパターンが示すＳＩを送信するための無線フレームは、Ｎ個の無線フレームごとのＮ番目のものである。したがって、ＳＩのシステム情報ウインドウにおいて、各Ｎ個の無線フレームがグループ化され、各グループのＮ番目は、繰り返しパターンが示すＳＩを送信するための無線フレームである。各グループにおけるＮ番目の無線フレームは、ＳＩを送信するために用いることができる６個の有効無線サブフレームを有する。サイズに依拠して、ＳＩは１回送信完了するために８個、４個、または２個のサブフレームを必要とする。
【００６６】
ＳＩを１回送信完了するために８個の無線サブフレームを必要とする場合、ベースステーションは、Ｎ無線フレームの各グループのＮ番目と後続無線フレームにおいて、８個の連続無線サブフレームを用いて、１回のＳＩ送信を完了する。本技術の望ましい実施形態において、各無線フレームにおける有効無線サブフレームは、サブフレーム番号１、２、３、６、７、８である。したがって、Ｎ番目無線フレームにおける１、２、３、６、７、８番目無線サブフレームと、後続無線フレームの１、２番目無線サブフレームが用いられる。合計８個の連続する有効無線サブフレームが用いられる。
【００６７】
本技術の望ましい実施形態において、繰り返しパターンで構成されたＳＩを送信する各無線フレームにおいて開始するＳＩの送信において、ＳＩは１回のみ送信完了する。すなわち、各Ｎ個の無線フレームはＳＩを１回のみ送信する。
【００６８】
ＳＩを１回送信完了するために４個または２個の無線サブフレームが必要である場合、以下の２つのオプションがある。
【００６９】
オプションＩ：ベースステーションは、繰り返しパターンが示す無線フレームにおいてＳＩを１回のみ送信する。ＳＩを送信するために構成した無線フレームにおいて、ＳＩを１回のみ送信完了するために利用可能な無線サブフレームが十分存在しない場合、ベースステーションはその無線フレームと後続無線フレームにおける有効無線サブフレームを用いてＳＩを送信完了する。
【００７０】
オプションＩＩ：ＳＩは、繰り返しパターンが示す無線フレームから複数回繰り返し送信される。すなわちＳＩは、各Ｎ個の無線フレームにおいて複数回繰り返し送信される。繰り返し回数は、ＳＩのサイズと対応する。例えばＳＩのサイズが２である（すなわち１回送信完了するために２個の有効無線サブフレームが必要である）と仮定すると、Ｎ個の無線フレームごとに繰り返し送信されるＳＩ個数はＭ１であり、Ｍ１の値は例えば４である。ＳＩのサイズが４であると仮定すると（すなわち１回送信完了するために４個の有効無線サブフレームが必要）、Ｎ個の無線フレームごとに繰り返し送信されるＳＩ個数はＭ２であり、Ｍ２の値は２である。
【００７１】
Ｎ個の無線フレームごとにＳＩを繰り返し送信する回数を決定した後、本技術の実施形態の方法は、ＳＩを送信するために用いる有効無線サブフレームを決定する。すなわちベースステーションは、ＳＩを送信するために構成した１つの無線フレームにおいてＳＩを１回以上送信するために利用可能な無線サブフレームが十分存在しない場合、無線フレームとその後続無線フレームの利用可能無線サブフレームにおいてＳＩを１回以上送信する。
【００７２】
＜望ましい実施形態２＞
図９は、本技術の望ましい実施形態２に係るシステム情報送信の概略図である。図９に示すように、望ましい実施形態２は、繰り返しパターンが示すＳＩ送信のための無線フレームの位置のみが、実施形態１とは異なる。本技術の望ましい実施形態２において、各Ｎ個の無線フレームはグループ化され、各Ｎ無線フレームグループのＭ番目の無線フレームは、ＳＩを送信する開始無線フレームとして構成されている。
【００７３】
＜望ましい実施形態３＞
図１０は、本技術の望ましい実施形態３に係るシステム情報送信の概略図である。図１０に示すように、
本技術の望ましい実施形態の技術的手段は、以下のように理解することができる：ベースステーションは、無線フレームの有効無線サブフレームにおいてＳＩを継続的に送信することにより、繰り返しパターンが示すＳＩを送信する。
【００７４】
本技術の望ましい実施形態３において、各Ｎ個の無線フレームはグループ化され、各グループのＭ番目の無線フレームはＳＩを送信する。ＳＩを１回送信完了するためにはＳ個の無線サブフレームが必要である。したがってベースステーションは、無線フレームの有効無線サブフレームを継続的に使用して、ＳＩを送信する第１無線フレームからのＳＩウインドウにおいて構成されたＳＩを送信し、各Ｓ個の無線サブフレームを用いてＳＩを１回送信完了する。
【００７５】
図１０に示すように、Ｎ個無線フレームの第１グループのＭ番目の無線フレームのなかの６個の有効サブフレームと、Ｎ無線フレームの第２グループのＭ番目の無線フレームのなかの２個の有効サブフレームを用いて、１回目のＳＩを送信する。Ｎ個無線フレームの第２グループのＭ番目の無線フレームのなかの４個の有効サブフレームと、Ｎ無線フレームの第３グループのＭ番目の無線フレームのなかの４個の有効サブフレームを用いて、２回目のＳＩを送信する。以下同様。
【００７６】
ＳＩウインドウにおいてＳＩを送信するように構成された全無線フレームのなかの有効無線サブフレームの個数はＱである。Ｑが、ＳＩを１回送信するために必要な無線サブフレーム個数Ｓの整数倍ではない場合、ＳＩを１回送信完了するために十分ではない無線サブフレームは、ＳＩを送信するために用いない。この例のように、Ｎ無線フレームの第３グループのＭ番目の無線フレームの最後２つの無線サブフレームがＳＩ（Ｓ＝８）を１回送信完了するのに十分ではない場合、これら２つの無線サブフレームはＳＩを送信するために用いない。
【００７７】
まとめると、本技術の実施形態により、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【００７８】
＜実施の形態７＞
本技術の実施形態は、記憶媒体を提供する。この記憶媒体は、以下のステップを実行するプログラムコードを格納するように構成することができる。
【００７９】
ｓ１：システム情報を送信するための無線フレームは、システム情報繰り返しパターンによりシステム情報ウインドウにおいて構成されている。
【００８０】
ｓ２：システム情報繰り返しパターンが示す無線フレームの利用可能無線サブフレームにおいてシステム情報の送信を開始し、システム情報繰り返しパターンが示す無線フレームにおいてＳＩを１回以上送信するために利用可能な無線サブフレームが十分存在しない場合、指定した無線フレームにおける利用可能な無線サブフレームにおいてシステム情報を１回以上繰り返し送信し続ける。
【００８１】
本技術の実施形態は、記憶媒体を提供する。この記憶媒体は、以下のステップを実行するプログラムコードを格納するように構成することができる。
【００８２】
Ｓ１：システムメッセージ繰り返しパターンが構成する無線フレームの利用可能無線サブフレームにおいてシステム情報を受信開始し、システム情報繰り返しパターンが示す無線フレームにおいてシステム情報を１回以上受信するために利用可能な無線サブフレームが十分存在しない場合、指定した無線フレームの利用可能無線サブフレームにおいてシステム情報を１回以上繰り返し受信する。
【００８３】
これに代えて、実施形態において、記憶媒体はプログラムコードを格納することができる以下のような媒体を含むが、これに限らない：ＵＳＢディスク、読取専用メモリ（ＲＯＭ）、ランダムアクセスメモリ（ＲＡＭ）、モバイルハードディスク、磁気ディスク、ＣＤ。これに代えて、本実施形態は上記実施形態および代替実施形態で説明した特定の例を参照することができ、それは本実施形態には記載していない。
【００８４】
本技術における上記モジュールまたはステップは、汎用目的コンピュータデバイスによって実装でき、単一コンピュータデバイスに集約しまたは複数のコンピュータデバイスで構成されたネットワーク上に分散できることは、当業者にとって明らかである。これに代えて上記モジュールまたはステップは、コンピュータデバイスが実行するプログラムコードで実装することができ、コンピュータデバイスが実行するために記憶デバイスへ格納することができる。場合によっては、本明細書が記載したものとは異なる順番で実行することができ、個別の集積回路モジュールへ実装しあるいは複数のモジュールやステップを単一の集積回路モジュールへ実装することができる。したがって、本技術の実装はハードウェアやソフトウェアの特定の組み合わせに限定されるものではない。
【００８５】
以上の説明は本技術の望ましい実施形態を示すためのみのものであり、保護範囲を限定するために用いるものではない。当業者にとって、本技術の様々な変形や変更が可能である。特許請求する発明の本旨と原理から逸脱しない任意の変形、等価置換、改善は、特許請求する発明の保護範囲によってカバーされる。
【産業上の利用可能性】
【００８６】
本技術の実施形態が提供する技術的手段は、システム情報の送信に対して適用することができる。システム情報繰り返しパターンによってシステムが構成する無線フレームにおいてシステム情報を１回以上送信するために利用可能な無線サブフレームが十分存在しない場合、指定した無線フレームにおいてシステム情報を送信するために利用可能な無線サブフレームが選択され、これによりシステム情報を送信し続ける。したがって、システム情報が占有する必要がある無線サブフレームの個数が増えたので従来技術を用いてシステム情報を送信することができないという関連技術の課題が解決され、これによりシステム情報のサイズによらず、適当な個数の無線サブフレームを選択し、これによりネットワークリソースを合理的に用いることができる。
【図１】
2019515603.tif 000003
【図２】
2019515603.tif 000004
【図３】
2019515603.tif 000005
【図４】
2019515603.tif 000006
【図５】
2019515603.tif 000007
【図６】
2019515603.tif 000008
【図７】
2019515603.tif 000009
【図８】
2019515603.tif 000010
【図９】
2019515603.tif 000011
【図１０】
2019515603.tif 000012
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
システム情報を送信する方法であって、
ベースステーションにより、システム情報ウインドウにおいてシステム情報の第１部分を端末に対して送信するステップであって、前記システム情報の前記第１部分は第１無線フレームの１以上の無線サブフレームにおいて搬送され、前記第１無線フレームはシステム情報繰り返しパターンによって指定され、前記１以上の無線サブフレームは前記ベースステーションから前記端末に対して有効に送信することができる、ステップ、
前記ベースステーションにより、前記第１無線フレームにおいて前記システム情報を送信するための無線サブフレームが十分存在しないと判定したとき、時間ドメインにおいて前記第１無線フレームの後に続く少なくとも第２無線フレームにおいて前記システム情報の第２部分を送信するステップ、
を有することを特徴とする方法。
【請求項２】
前記第２無線フレームは、時間ドメインにおいて前記第１無線フレームの次である
ことを特徴とする請求項１記載の方法。
【請求項３】
システム情報を受信する方法であって、
端末により、システム情報ウインドウにおいてシステム情報の第１部分をベースステーションから受信するステップであって、前記システム情報の前記第１部分は第１無線フレームの１以上の無線サブフレームにおいて搬送され、前記第１無線フレームはシステム情報繰り返しパターンによって指定され、前記１以上の無線サブフレームは前記ベースステーションから前記端末に対して有効に送信することができる、ステップ、
前記端末により、前記第１無線フレームにおいて前記システム情報のための無線サブフレームが十分存在しないと判定したとき、時間ドメインにおいて前記第１無線フレームの後に続く少なくとも第２無線フレームにおいて前記システム情報の第２部分を送信するステップ、
を有することを特徴とする方法。
【請求項４】
前記第２無線フレームは、時間ドメインにおいて前記第１無線フレームの次である
ことを特徴とする請求項３記載の方法。
【請求項５】
システム情報を送信する装置であって、
システム情報ウインドウにおいてシステム情報の第１部分を端末に対して送信開始するように構成された送信器であって、前記システム情報の前記第１部分は第１無線フレームの１以上の無線サブフレームにおいて搬送され、前記第１無線フレームはシステム情報繰り返しパターンによって指定され、前記１以上の無線サブフレームは前記装置から前記端末に対して有効に送信することができる、送信器を備え、
前記送信器はさらに、前記第１無線フレームにおいて前記システム情報を送信するための無線サブフレームが十分存在しないと判定したとき、時間ドメインにおいて前記第１無線フレームの後に続く少なくとも第２無線フレームにおいて前記システム情報の第２部分を送信するように構成されている
ことを特徴とする装置。
【請求項６】
前記第２無線フレームは、時間ドメインにおいて前記第１無線フレームの次である
ことを特徴とする請求項５記載の装置。
【請求項７】
システム情報を受信する装置であって、
システム情報ウインドウにおいてシステム情報の第１部分をベースステーションから受信する受信器であって、前記システム情報の前記第１部分は第１無線フレームの１以上の無線サブフレームにおいて搬送され、前記第１無線フレームはシステム情報繰り返しパターンによって指定され、前記１以上の無線サブフレームは前記ベースステーションから前記装置に対して有効に送信することができる、受信器を備え、
前記受信器はさらに、前記第１無線フレームにおいて前記システム情報のための無線サブフレームが十分存在しないと判定したとき、時間ドメインにおいて前記第１無線フレームの後に続く少なくとも第２無線フレームにおいて前記システム情報の第２部分を受信するように構成されている
ことを特徴とする装置。
【請求項８】
前記第２無線フレームは、時間ドメインにおいて前記第１無線フレームの次である
ことを特徴とする請求項７記載の装置。
【請求項９】
コードを格納したコンピュータ読取可能記憶媒体であって、前記コードはプロセッサが実行することにより前記プロセッサに方法を実行させ、前記方法は、
ベースステーションにより、システム情報ウインドウにおいてシステム情報の第１部分を端末に対して送信するステップであって、前記システム情報の前記第１部分は第１無線フレームの１以上の無線サブフレームにおいて搬送され、前記第１無線フレームはシステム情報繰り返しパターンによって指定され、前記１以上の無線サブフレームは前記ベースステーションから前記端末に対して有効に送信することができる、ステップ、
前記ベースステーションにより、前記第１無線フレームにおいて前記システム情報を送信するための無線サブフレームが十分存在しないと判定したとき、時間ドメインにおいて前記第１無線フレームの後に続く少なくとも第２無線フレームにおいて前記システム情報の第２部分を送信するステップ、
を有することを特徴とするコンピュータ読取可能記憶媒体。
【請求項１０】
前記第２無線フレームは、時間ドメインにおいて前記第１無線フレームの次である
ことを特徴とする請求項９記載のコンピュータ読取可能記憶媒体。
【請求項１１】
コードを格納したコンピュータ読取可能記憶媒体であって、前記コードはプロセッサが実行することにより前記プロセッサに方法を実行させ、前記方法は、
端末により、システム情報ウインドウにおいてシステム情報の第１部分をベースステーションから受信するステップであって、前記システム情報の前記第１部分は第１無線フレームの１以上の無線サブフレームにおいて搬送され、前記第１無線フレームはシステム情報繰り返しパターンによって指定され、前記１以上の無線サブフレームは前記ベースステーションから前記端末に対して有効に送信することができる、ステップ、
前記端末により、前記第１無線フレームにおいて前記システム情報のための無線サブフレームが十分存在しないと判定したとき、時間ドメインにおいて前記第１無線フレームの後に続く少なくとも第２無線フレームにおいて前記システム情報の第２部分を送信するステップ、
を有することを特徴とするコンピュータ読取可能記憶媒体。
【請求項１２】
前記第２無線フレームは、時間ドメインにおいて前記第１無線フレームの次である
ことを特徴とする請求項１１記載のコンピュータ読取可能記憶媒体。
【国際調査報告】
2019515603.tif 000013
2019515603.tif 000014
2019515603.tif 000015
2019515603.tif 000016